【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
所定のトリガ入力を受け付けるトリガ受付部と、
上記トリガ受付部によって上記トリガ入力が受け付けられた場合、自動撮像モードに代えて、要求対応撮像モードとして撮像装置に撮像要求に応じた撮像動作を実行させる要求対応撮像制御部と、
を備えた撮像制御装置。
【請求項２】
被写体の撮像、及び記録媒体への撮像画像データの記録を行う撮像装置における静止画撮像動作を制御する撮像記録制御部と、
上記撮像装置についての撮像視野の可変機構を駆動制御する撮像視野可変制御部と、
静止画撮像のための撮像視野を決定する処理を行う撮像準備処理部と、
をさらに備え、
上記トリガ受付部は、所定のトリガ入力を自動撮像モードから要求対応撮像モードへの切換入力として受け付け、
上記要求対応撮像制御部は、
上記自動撮像モードとして、上記撮像視野可変制御部が上記可変機構を駆動制御しながら上記撮像記録制御部の制御により撮像装置が静止画撮像動作を行っている際に、上記トリガ受付部によって上記トリガ入力が受け付けられた場合、上記要求対応撮像モードとして、上記撮像準備処理部に撮像要求に応じた撮像視野を決定する処理を実行させ、撮像視野決定後、上記撮像記録制御部の制御による静止画撮像動作を実行させる請求項１に記載の撮像制御装置。
【請求項３】
静止画撮像を行うことの予告動作を実行制御する撮像予告動作制御部をさらに備え、
上記要求対応撮像制御部は、上記要求対応撮像モードとして、上記撮像準備処理部に要求対応撮像動作のための撮像視野を決定する処理を実行させ、撮像視野決定後、上記撮像予告動作制御部の制御による上記予告動作を実行させてから上記撮像記録制御部の制御による静止画撮像動作を実行させる請求項２に記載の撮像制御装置。
【請求項４】
上記トリガ受付部は、ユーザによる特定の操作入力を上記トリガ入力として受け付ける請求項１に記載の撮像制御装置。
【請求項５】
上記トリガ受付部は、特定の音声入力を上記トリガ入力として受け付ける請求項１に記載の撮像制御装置。
【請求項６】
上記トリガ受付部は、撮像画像から特定の被写体状態が判定されたことを上記トリガ入力として受け付ける請求項１に記載の撮像制御装置。
【請求項７】
上記要求対応撮像モードの際に、上記撮像準備処理部は、上記撮像視野可変制御部により上記可変機構を駆動制御させながら、撮像視野内に撮像要求に応じた被写体を入れるための被写体検出処理を行う請求項２に記載の撮像制御装置。
【請求項８】
上記要求対応撮像モードの際に、上記撮像準備処理部は、上記撮像視野可変制御部により上記可変機構を駆動制御させながら、撮像視野内における被写体画像の配置を調整する構図処理を行う請求項２に記載の撮像制御装置。
【請求項９】
上記構図処理は、１以上の被写体が撮像視野内に検出された際に、さらに撮像視野を移動させて撮像要求に応じた他の被写体の存在を確認する処理を含む請求項８に記載の撮像制御装置。
【請求項１０】
上記撮像準備処理部は、上記自動撮像モードの際にも上記構図処理を行うとともに、上記要求対応撮像モードの際には、上記自動撮像モードのときとは異なる処理手順又は処理パラメータで上記構図処理を行う請求項８に記載の撮像制御装置。
【請求項１１】
上記トリガ受付部は、上記トリガ入力についての入力方向を検知可能とされ、
上記撮像準備処理部は、上記撮像視野可変制御部により上記可変機構を、上記入力方向に駆動制御させる請求項２に記載の撮像制御装置。
【請求項１２】
上記要求対応撮像制御部は、上記要求対応撮像モードとして、撮像装置に要求対応撮像動作のための撮像視野を決定する処理を実行させ、撮像視野決定後、所定の静止画撮像条件を満たしたときに、静止画撮像動作を実行させる請求項１に記載の撮像制御装置。
【請求項１３】
上記要求対応撮像制御部は、特定の音声入力があったときに、上記静止画撮像条件を満たしたと判断する請求項１２に記載の撮像制御装置。
【請求項１４】
上記要求対応撮像制御部は、撮像画像から特定の被写体状態が判定されたときに、上記静止画撮像条件を満たしたと判断する請求項１２に記載の撮像制御装置。
【請求項１５】
上記要求対応撮像制御部は、撮像装置に静止画撮像動作を実行させた後、静止画撮像画像を撮像装置の表示部に表示させるとともに、上記表示部を撮像方向に向けるように、上記撮像装置の可変機構を駆動させる請求項１に記載の撮像制御装置。
【請求項１６】
上記要求対応撮像制御部は、上記要求対応撮像モードでの静止画撮像動作の実行後、上記自動撮像モードの動作に復帰させる請求項１に記載の撮像制御装置。
【請求項１７】
上記撮像予告動作制御部は、静止画撮像を行うことの予告動作として、音声出力、又は表示出力を実行させる制御を行う請求項３に記載の撮像制御装置。
【請求項１８】
上記撮像予告動作制御部は、静止画撮像を行うことの予告動作として、上記可変機構を駆動制御して上記撮像装置に所定の動作を実行させる制御を行う請求項３に記載の撮像制御装置。
【請求項１９】
被写体の撮像、及び記録媒体への撮像画像データの記録を行う撮像部を有する撮像装置又は撮像システムについての撮像制御方法であって、
所定のトリガ入力を受け付けるステップと、
上記トリガ入力が受け付けられた場合、自動撮像モードに代えて、要求対応撮像モードとして、上記撮像装置又は上記撮像システムに、撮像要求に応じた撮像動作を実行させるステップと、
を備えた撮像制御方法。
【請求項２０】
被写体の撮像、及び記録媒体への撮像画像データの記録を行う撮像部を有する撮像装置又は撮像システムについての制御処理プログラムであって、
所定のトリガ入力を受け付けるステップと、
上記トリガ入力が受け付けられた場合、自動撮像モードに代えて、要求対応撮像モードとして、上記撮像装置又は上記撮像システムに、撮像要求に応じた撮像動作を実行させるステップと、
を演算処理装置に実行させるプログラム。
【手続補正２】
【補正対象書類名】明細書
【補正対象項目名】０００５
【補正方法】変更
【補正の内容】
【０００５】
本発明の撮像制御装置は、所定のトリガ入力を受け付けるトリガ受付部と、上記トリガ受付部によって上記トリガ入力が受け付けられた場合、自動撮像モードに代えて、要求対応撮像モードとして撮像装置に撮像要求に応じた撮像動作を実行させる要求対応撮像制御部とを備える。
また、被写体の撮像、及び記録媒体への撮像画像データの記録を行う撮像装置における静止画撮像動作を制御する撮像記録制御部と、上記撮像装置についての撮像視野の可変機構を駆動制御する撮像視野可変制御部と、静止画撮像のための撮像視野を決定する処理を行う撮像準備処理部とをさらに備え、上記トリガ受付部は、所定のトリガ入力を自動撮像モードから要求対応撮像モードへの切換入力として受け付け、上記要求対応撮像制御部は、上記自動撮像モードとして、上記撮像視野可変制御部が上記可変機構を駆動制御しながら上記撮像記録制御部の制御により撮像装置が静止画撮像動作を行っている際に、上記トリガ受付部によって上記トリガ入力が受け付けられた場合、上記要求対応撮像モードとして、上記撮像準備処理部に撮像要求に応じた撮像視野を決定する処理を実行させ、撮像視野決定後、上記撮像記録制御部の制御による静止画撮像動作を実行させる。
【手続補正３】
【補正対象書類名】明細書
【補正対象項目名】０００８
【補正方法】変更
【補正の内容】
【０００８】
本発明の撮像制御方法は、被写体の撮像、及び記録媒体への撮像画像データの記録を行う撮像部を有する撮像装置又は撮像システムについての撮像制御方法である。そして所定のトリガ入力を受け付けるステップと、上記トリガ入力が受け付けられた場合、自動撮像モードに代えて、要求対応撮像モードとして、上記撮像装置又は上記撮像システムに、撮像要求に応じた撮像動作を実行させるステップとを備える。
本発明のプログラムは、上記の撮像装置又は撮像システムに対する制御処理プログラムとして、上記各ステップを演算処理装置に実行させるプログラムである。
【手続補正４】
【補正対象書類名】明細書
【補正対象項目名】００６０
【補正方法】変更
【補正の内容】
【００６０】
まずデジタルスチルカメラ１側において、撮像記録制御部８１は、撮像により得られた画像を画像信号のデータ（撮像画像データ）として得て、この撮像画像データを記録媒体に記憶するための制御処理を実行する部位である。また撮像記録制御部８１は、記録した静止画データの再生、表示動作、或いは撮像時のスルー画の表示動作等のための制御も行う。
即ち撮像記録制御部８１は、図８の光学系部２１、イメージセンサ２２、Ａ／Ｄコンバータ２３、信号処理部２４、エンコード／デコード部２５、メディアコントローラ２６、表示ドライバ３２等の制御を行う。即ち、光学系部２１のレンズ駆動制御、イメージセンサ２２の撮像動作、撮像信号処理、記録再生処理等を指示し、静止画撮像を実行させるなど、デジタルスチルカメラ１の基本動作を制御する機能部位である。